(57)【要約】【課題】画像撮像装置の撮像条件に関して、撮像装置が標準モードとして設定する以外の撮像条件を設定する際に、補正履歴を管理したり、入出力機器の特性を考慮したりする不便を解消する。【解決手段】算出部３０３は、撮像部３０１によって撮像された最頻出の撮像条件を算出し、記憶回路３０３４に標準モードとして記憶する。画像撮像モードにおいて、撮像条件（標準モード）が読み出され、制御部３０２に自動的に設定され、ユーザが設定する頻度が高い撮像条件（標準モード）で撮像される。【選択図】図１
2006238023.tif 000002
【特許請求の範囲】
【請求項１】
被写体光像を画像信号に光電変換し、画像データとして記憶する撮像手段と、前記撮像手段によって撮像された最頻出の撮像条件を算出する算出手段と、前記算出した撮像条件で、前記撮像手段の撮像動作を制御する制御手段とを備えたことを特徴とする画像データ撮像装置。
【請求項２】
請求項１記載の画像データ撮像装置において、前記算出手段は、撮像条件の撮像頻度情報を作成／更新する撮像頻度情報作成／更新手段と、前記撮像条件の撮像頻度情報の頻度値と、所定の頻度値とを比較する比較手段と、前記比較結果に基づき撮像条件を設定する第１の設定手段と、前記設定結果を記憶する第１の記憶手段とを備えたことを特徴とする画像データ撮像装置。
【請求項３】
被写体光像を画像信号に光電変換し、画像データとして記憶する撮像手段と、ユーザに対して画質に関する評価用語を提示する提示手段と、前記回答に対応した撮像条件を設定する第２の設定手段と、前記設定結果を記憶する第２の記憶手段と、前記第２の記憶手段に記憶した撮像条件で、前記撮像手段の撮像動作を制御する制御手段とを備えたことを特徴とする画像データ撮像装置。
【請求項４】
被写体光像を画像信号に光電変換し、画像データとして記憶する撮像手段と、出力設定情報から、少なくとも２つ以上の撮像条件を抽出する抽出手段と、前記抽出された撮像条件の最頻出の撮像条件を設定する第３の設定手段と、前記設定結果を記憶する第３の記憶手段と、前記第３の記憶手段に記憶した撮像条件で、前記撮像手段の撮像動作を制御する制御手段とを備えたことを特徴とする画像データ撮像装置。
【請求項５】
請求項１または２記載の画像データ撮像装置において、前記算出手段による算出結果を、標準モード、あるいはユーザモードとして設定する手段を備えたことを特徴とする画像データ撮像装置。
【請求項６】
被写体光像を画像信号に光電変換し、画像データとして記憶する撮像工程と、前記撮像された最頻出の撮像条件を算出する工程と、前記算出した撮像条件で、前記撮像工程の撮像動作を制御する工程とを有することを特徴とする撮像処理方法。
【請求項７】
請求項６記載の撮像処理方法をコンピュータに実現させるためのプログラム。
【請求項８】
請求項６記載の撮像処理方法をコンピュータに実現させるためのプログラムを記録したコンピュータ読み取り可能な記録媒体。
【発明の詳細な説明】
【技術分野】
【０００１】
本発明は、静止した被写体光像を電気信号に光電変換して撮像および記録することを可能とする画像データ撮像装置、撮像処理方法、およびこれを実行させるプログラム、並びにこれを記憶した記録媒体に関し、例えば、デジタルスチルカメラ、デジタルビデオムービー、およびテレビカメラに好適な技術に関する。
【背景技術】
【０００２】
従来、静止した被写体光像を電気信号に光電変換して撮像および記録する画像撮像装置で被写体を撮像する際には、ユーザはメーカが設定した撮像条件により撮像することが一般的である。この撮像条件としては、例えば、露光補正量、彩度、コントラスト、シャープネス、シーン撮像タイプ、露出制御モード、ホワイトバランスモードなどが挙げられる。これらの撮像条件は、ユーザ自身が任意に変更すると破綻が生ずるおそれもあり、撮像装置が最適に調整した撮像条件に自動設定され、撮像される。しかし、色やシャープネス等の画質は、極めて主観的で、ユーザ個人の好みに大きく左右される。
【０００３】
また一方では、撮像時に設定する撮像条件は、被写体の階調性、露出、構図などがきまるとほぼ同じ撮像条件をマニュアル設定するユーザが多い。しかしユーザは、どの場面で、どのような構図で、どの時間で設定したのか正確に把握し、それを撮像時に適切に設定することは容易ではない。そこで、特定の撮像条件で撮像するために、画像の補正情報、あるいは入出力機器の情報を利用して撮像条件を更新する技術が提案されている。
【０００４】
例えば、特許文献１は、画像撮像装置から取込んだ撮像画像データに対して補正を行い、補正項目毎の補正値を補正履歴情報として記録し、その補正値に基づいて平均値である代表補正値を算出するパソコンと、パソコンで算出された代表補正値を取り込んで記憶し、その代表値に基づいて撮像時の画像処理条件を補正し撮像を行う画像撮像装置とで構成する画像撮像装置システムに関する技術を開示している。
【０００５】
また、撮像された画像データを補正する際に、特許文献２では、画像撮像装置内のガンマ変換処理に必要なＬＵＴをパソコンからダウンロード、メモリカードなどの記録メディアから読込むことにより、カメラのガンマ特性を任意に設定できる。使用する出力機器のガンマ情報を読込み、その逆ガンマを計算して、これをカメラのガンマとして設定する。あるいは同技術として、特許文献３では、入力手段は、出力目標物（銀塩ポジフィルム）の属性情報（色合い、トーン、肌色、カラーバランス）を入力し、特性情報生成手段は、入力手段で入力された出力目標物の属性情報に基づいて、出力目標物の特性情報を生成し、補正情報生成手段は、特性情報取得手段により得られた情報から画像補正処理用の補正情報（画像補正テーブル）を生成し、補正手段は、補正情報生成手段により得られた補正情報に基づいて入力画像を補正する技術も開示されている。
【０００６】
【特許文献１】特開２００２−２６２１７４号公報
【特許文献２】特開２００２−２８１３７７号公報
【特許文献３】特開２００２−１９０９６１号公報
【発明の開示】
【発明が解決しようとする課題】
【０００７】
しかし、上記した特許文献１は、色の代表値を補正する撮像条件を「補正した後に撮像する、続いて補正する、さらに撮像する…」の動作を繰返し、補正量を漸次画像撮像装置の撮像条件に反映させるが、その作業の煩雑性を考慮すると実用性に欠ける。
【０００８】
また、上記した特許文献２および３は、入出力特性をユーザ自身が管理する必要があり、入出力機器に関する高度な専門知識が必要であり、必ずしもユーザの操作性に優れてはいない。さらに、所有する入出力機器が多数・多岐にわたるユーザに対して、出力機器を管理しつつ、その機器を想定しながら撮像するなどは極めて困難である。
【０００９】
本発明は上記した問題点に鑑みてなされたもので、
本発明の目的は、画像撮像装置の撮像条件に関して、撮像装置が標準モードとして設定する以外の撮像条件を設定する際に、補正履歴を管理したり、入出力機器の特性を考慮したりすることが甚だ不便である点を解消した画像データ撮像装置、撮像処理方法、プログラムおよび記録媒体を提供することにある。
【００１０】
そこで、本発明の第１の特徴（実施例１）は、ユーザが設定する頻度が高い撮像条件を標準シーンとして自動設定することにより、より簡便な操作性を備えた撮像装置を供することが可能となる点である。  
また本発明の第２の特徴（実施例２）は、画像データの画質に関する評価用語を提示し、この回答に対応した撮像条件を抽出し、ユーザの補正傾向を捉えることにより、ユーザの補正傾向の要望に適した画像撮像装置を供することが可能となる点である。
【００１１】
さらに本発明の第３の特徴（実施例３）は、ユーザが出力設定した出力設定情報からユーザの画像に対する嗜好を捉え、これから補正量を制御することにより、撮像された画像データや想定する出力機器が多数・多岐となるほど、ユーザの嗜好に適した画像撮像装置を供することが可能となる点である。
【課題を解決するための手段】
【００１２】
従来の画像撮像装置では、ユーザは撮像装置既定の標準シーン以外で撮像する際に、煩雑な撮像条件を設定する必要があった。また撮像された画像データを補正する場合、補正処理に関する高度な専門知識が必要であり、必ずしもユーザの操作性に優れてはいなかった。さらには、撮像された多数・多岐にわたる画像データに対して、ユーザの嗜好に適して出力することは非常に困難であった。ここで、撮像条件とは、露出モード、ホワイトバランスなどの撮影時の撮影条件であり、本発明では、実施例１、２において、露光補正量、彩度などの撮影条件を読み込み、撮影頻度情報を作成している。Ｅｘｉｆ（Exchangeable  Image  File  Format）規格などが例示される。Ｅｘｉｆはデジタルカメラ用の画像データの規格であり、ＪＥＩＤＡによって標準化され、各社のデジタルカメラに採用されている。ＴＩＦＦ形式で画像についての情報や撮影日時などの付加情報を記録できるほか、縮小画像（サムネイル）を記録することができる。最新のＥｘｉｆ２．２では、アプリケーションやプリンタがその記録情報から、「どのようなシーンで撮影したか」「どのような撮影意図を持っていたか」を解釈し、撮影シーンに応じた、ユーザが欲しい画像データへの補正が可能である。
【００１３】
本発明では、ユーザが設定する頻度が高い撮像条件を標準シーンとして設定することにより、より簡便な操作性を備えた撮像装置を供することが可能となる。また、画質に関する概念的な用語とその補正量を予め対応させて記憶させ、ユーザが画質に対する用語を選択し、その選択結果に応じた撮像条件で撮像することにより、ユーザの画質に対する要望に応えた画像撮像装置を供することが可能となる。
【００１４】
さらに、ユーザが出力設定した出力設定情報と撮像条件とからユーザの画像に対する嗜好を捉え、この嗜好に基づいた撮像条件で撮像する撮像装置を供することにより、出力された画像データが多数・多岐となるほど、ユーザの嗜好に適した画像撮像装置を供することが可能となる。
【００１５】
ここで、出力設定情報とは、プリントサービスや家庭のプリンタなどの出力機器で自動的に出力する設定条件であり、本発明では、実施例３において、出力枚数を読み込み、出力頻度情報を作成している。ＤＰＯＦ（Digital Print Order Format）規格などが例示される。ＤＰＯＦは、デジタルカメラ用の記録フォーマットの一つであり、撮像した画像データに対して、出力サービスや家庭の出力機器で自動的に出力するための情報を記録することができる。例えば、画像データのサイズ、タイトル、トリミング設定、機器情報、日付と時刻、ユーザ名、住所、電話番号などの情報が記録できる。また、出力したい画像データや枚数、どの情報を一緒に出力するかなどの情報も設定できる。
【発明の効果】
【００１６】
本発明（請求項１、２、６〜８）によれば、ユーザが設定する頻度が高い撮像条件を標準シーンとして設定することにより、より簡便な操作性を備えた画像データ撮像装置を供することが可能となる。
【００１７】
本発明（請求項３）によれば、画像データの画質に関する評価用語を提示し、この回答に対応した撮像条件を抽出し、ユーザの補正傾向を捉えることにより、ユーザの補正傾向の要望に適した画像撮像装置を供することが可能となる。
【００１８】
さらに、本発明（請求項４）によれば、ユーザが出力した出力情報からユーザの画像に対する嗜好を捉え、これから補正量を制御することにより、撮像された画像データや想定する出力機器が多数・多岐となるほど、ユーザの嗜好に適した画像撮像装置を供することが可能となる。
【発明を実施するための最良の形態】
【００１９】
以下、発明の実施の形態について図面により詳細に説明する。
【００２０】
実施例１：
本実施例では、撮像前に初期設定で撮像条件を反映させる設定とし、この設定で撮像した場合を例示する。本実施例によれば、ユーザが設定する頻度が高い撮像条件を標準シーンとして自動設定することにより、より簡便な操作性を備えた撮像装置を供することが可能となった。
【００２１】
図１は、本発明の実施例１に係る画像撮像装置の構成を示す。図２は、本発明の画像撮像装置の外観を示す。図３は、本発明の撮像装置のモード選択の状態遷移図である。
【００２２】
図２において、ユーザは撮像装置の電源スイッチ２０２０を投入し、図２（ｃ）のように、撮像装置に配置された各種操作スイッチを適宜選択し、初期設定モードＡ、画像撮像モードＢ、出力設定モードＣ等を選択する。このとき画像撮像装置は、各モードに対応した動作を実行する。まず、画像撮像装置の装置構成について述べて、次いで該装置の各モードに対応した動作について説明する。
【００２３】
外観図と装置構成：
画像撮像装置を正面側及び背面側から見た外観図が図２（ａ）、（ｂ）である。図２（ａ）に示すように、画像撮像装置２０１０の正面又は上面には撮像レンズ２０１２、光学ファインダー２０１４、補助光発光部２０１６、シャッターボタン２０１８、電源スイッチ２０２０等の部材が配置される。また、画像撮像装置２０１０の側面には記憶媒体挿入部２０２２が設けられる。
【００２４】
一方、図２（ｂ）に示すよう、画像撮像装置２０１０の背面には、液晶モニタ２０２４、光学ファインダー２０１４の接眼部２０１５等の部材が配置される。さらに、図２（ｃ）に示すように、画像撮像装置２０１０には、後述する動作モードに対応したダイヤル式の操作スイッチが設けられており、ボタンをＡに回転すれば、図３のモードＡに対応し、初期設定モードが動作する。同様にボタンをＢ、Ｃに設定すれば、それぞれ画像撮像モード、出力設定モードが動作する。また、後述の初期設定モードＡ、出力設定モードＣ時に、第１の記憶回路３０３４、第３の記憶回路３０３４ｔに記憶される内容についは、上記スイッチ切替えにより動作することを例示するが、画像撮像モードＢにおいて自動的に更新されることも、ユーザの操作性を向上させる例として好適である。
【００２５】
本画像撮像装置２０１０の機構図を図１に示す。画像撮像装置２０１０は、被写体光像を画像信号に光電変換して画像データとして記憶する撮像部３０１と、上記撮像手段の撮像条件を制御する制御部３０２と、撮像された最頻出の撮像条件を算出する第１算出部３０３、記憶された画像データ、あるいは撮像中の画像を表示する表示部３０４とからなる。
【００２６】
また、撮像部３０１は、レンズ３０１０、絞り３０１１、シャッター３０１２、撮像デバイス３０１３、アナログ信号処理回路３０１４、Ａ／Ｄコンバータ３０１５、デジタル信号処理回路３０１６、圧縮伸張回路３０１７、記憶媒体３０１８で構成される。
【００２７】
制御部３０２は、ＣＰＵ３０２０、コントロール回路３０２１で構成される。
【００２８】
第１算出部３０３は、撮像条件の撮像頻度情報を作成／更新する頻度情報作成／更新回路３０３１、上記撮像頻度情報の頻度値、及び所定値とを比較する比較回路３０３２、上記比較結果から撮像条件を設定する設定回路３０３３と、設定結果を記憶する第１の記憶回路３０３４とから構成される。
【００２９】
表示部３０４は、Ｄ／Ａコンバータ３０４１、液晶モニタ３０４２（図２における２０２４）で構成される。
【００３０】
初期設定モードＡ：
上記構成の画像撮像装置に対して、初期設定モードＡが選択された場合の動作について、図４を参照して説明する。まず、ユーザが電源スイッチ２０２０を投入すると、画像撮像装置２０１０は、液晶モニタ２０２４に、次に示す設定画面を順次提示し、ユーザの選択結果に応じた動作を実施する。すなわち、撮像条件として撮像履歴を反映させるか否かの画面を提示する（Ｓ４１０）。ここでユーザが撮像履歴を反映させると選択した場合（Ｓ４１０：Ｙｅｓ）、撮像装置は撮像頻度情報を作成／更新する（Ｓ４２０）。続いて、上記撮像条件の頻度値と所定の頻度値とを比較し（Ｓ４３０）、上記比較結果から撮像条件を設定し（Ｓ４４０）、記憶する（Ｓ４５０）。
【００３１】
一方、撮像履歴を反映させない場合（Ｓ４１０：Ｎｏ）は、撮像装置は、頻度情報の作成／更新を実施せずに、処理を終了する。なお、装置起動時の初期値は履歴反映をさせない動作で撮像することとなる。
【００３２】
ここで、ユーザが撮像履歴を反映させる場合を説明する。すなわち、撮像頻度情報を作成／更新する処理は、記憶媒体３０１８に記憶されている画像データを読込み（Ｓ４２１）、付与された撮像条件を読込み（Ｓ４２２）、撮像条件とその設定値の撮像頻度情報を加算する（Ｓ４２３）。このＳ４２１からＳ４２３までの処理を記憶されたすべての画像データに対して実施し、図５に示す撮像頻度情報が得られる。図５は、撮像した画像データの撮像条件の割合を示す。例えば、撮像された画像データで露光補正を施したものが８８［％］と最も高く、次いでコントラスト、彩度…を設定変更したことを示している。なお、撮像条件を読取る際の画像データのファイル形式としては、電子カメラ用画像ファイルフォーマット規格（Ｅｘｉｆ）が挙げられる。該ファイル形式の仕様は、（社）電子情報技術産業協会（ＪＥＩＴＡ）によって定められている。ここで撮像条件としては、露光補正量、彩度、コントラスト、シャープネス、シーン撮像タイプ、露出制御モード、ホワイトバランスモードが挙げられる。この撮像条件の補正量が「±０」あるいは、「標準」以外で加算する、あるいは、マニュアル設定時のみを加算することも好適である。
【００３３】
次に、上述の処理で得られた撮像頻度情報の頻度値と所定の頻度値とを比較する。この撮像頻度情報の頻度値は、撮像時に装置既定の撮像条件で撮像したか否かの割合を示す。例えば、８０の値を設定すると、撮像時には８０［％］以上の確率で設定を変更することを意味する。図５（ａ）の頻度値と所定の頻度値８０とが比較され（Ｓ４３０）、撮像頻度情報の頻度値が所定の頻度値より大きい場合に、撮像条件の露光補正量が設定される（Ｓ４４０）。露光補正量は図５（ｂ）に示すように、補正量毎にその頻度値が作成されている。すなわち、露光補正量：−１．０では、その頻度値が１１％であり、−０．５では７３％、±０では１６％、＋０．５、＋１．０ではそれぞれ０％である。Ｓ４４０では、撮像条件の露光補正量として、最も頻度値が高い（７３％）「露光補正量：−０．５」が設定される。次いで、「露光補正量：−０．５」を撮像条件として記憶し、（Ｓ４５０）初期設定モードを終了する。
【００３４】
尚、設定した撮像条件は第１の記憶回路３０３４に記憶し、次の画像撮像モードにおいて、該設定が記憶回路から呼出される。
【００３５】
画像撮像モードＢ：
上記撮像装置に対して、画像撮像モードＢが選択された場合の撮像装置の基本動作について説明する。シャッターボタン２０１８が押下されると、ＣＰＵ３０２０はこれを検知してコントロール回路３０２１にシャッターレリーズのコマンドを送る。これにより、コントロール回路３０２１がシャッター３０１２を駆動する。シャッター３０１２が駆動されると、レンズ３０１０及び絞り３０１１等の光学系を介して被写体像が撮像デバイス３０１３の受光面に結像される。撮像デバイス３０１３は、受光面に結像された画像光をその光量に応じた量の信号電荷に変換する。そして、その信号電荷を電圧信号（画像信号）に変換した後、順次アナログ信号処理回路３０１４に転送する。
【００３６】
アナログ信号処理回路３０１４に転送された画像信号は、このアナログ信号処理回路３０１４でホワイトバランス調整等の所要のアナログ信号処理が施された後、Ａ／Ｄコンバータ３０１５でデジタル信号の画像データに変換され、デジタル信号処理回路３０１６に転送される。デジタル信号処理回路３０１６は、転送されてきた画像データにガンマ補正、電子ズーム等の所要のデジタル信号処理を施した後、画像データをＹＣ信号（輝度信号Ｙとクロマ信号Ｃ）に変換する。圧縮伸張回路３０１７は、デジタル信号処理回路３０１６で生成されたＹＣ信号を所定形式で圧縮し、記憶媒体３０１８の所定メモリ領域にその圧縮データを記憶する。これにより、撮像デバイスによって撮像された画像が記憶媒体３０１８に記憶される。
【００３７】
また、前記圧縮伸張回路３０１７は、上述の処理の他にデジタル信号処理回路３０１６で生成されたＹＣ信号をそのままＤ／Ａコンバータ３０４１を介して液晶モニタ３０４２に出力する。これにより、撮像した画像が液晶モニタ３０４２に表示される。尚、記憶媒体３０１８に記憶した画像を液晶モニタ３０４２に再生する際には、圧縮伸張回路３０４１は記憶媒体３０１８から読み出した圧縮データを伸張処理した後、Ｄ／Ａコンバータ３０４１を介して液晶モニタ３０４２に出力する。
【００３８】
ここでコントロール回路３０２１は、ＣＰＵ３０２０から加えられたコマンドにより画像撮像装置２０１０の光学系（レンズ３０１０、絞り３０１１、シャッター３０１２等）の動作を制御すると共に、アナログ信号処理回路３０１４の処理内容を制御する回路である。例えば、複数のレンズから構成されるレンズ３０１０の所定のレンズを駆動してフォーカスや光学ズーム等の動作を行わせ、絞り３０１１を制御して画像の明るさを制御する。また、アナログ信号処理回路３０１４で行われるホワイトバランス調整等の処理内容を制御する。
【００３９】
このＣＰＵ３０２０は、上記コントロール回路３０２１、デジタル信号処理回路３０１６及び圧縮伸張回路３０１７にコマンドを送り、これらの回路に所要の処理を実行させる。このときＣＰＵ３０２０は、算出部３０３で設定、および記憶された撮像条件に基づいて、これらの回路が実行すべき処理内容をコマンドとして各回路に送る。これにより記憶されている撮像条件による処理内容が自動で設定され、ユーザが設定する頻度が高い撮像条件で撮像することが可能となる。
【００４０】
例えば、ユーザが撮像した画像データから作成された頻度値情報テーブルが図５（ａ）、（ｂ）の場合、露光補正量は−０．５で撮像されることとなる。これはユーザが撮像した画像データの情報から、露出量を低めに設定し、撮像するユーザであることを意味する。そこで、撮像装置は撮像時の標準モードの撮像条件として、露光量を標準モードより「０．５」低下する条件を自動設定する。よって、ユーザは撮像する際に設定する頻度が高い撮像条件で簡便に撮像することが可能となる。この結果、撮像条件を毎回設定する手間が削減されることにより、ユーザの操作性が各段に向上する。また、本実施例では、ユーザの撮像条件を画像撮像モードの標準モードとして設定したが、別途ユーザモードを設けて、それに対応したボタンに反映することも好適である。
【００４１】
実施例２：
本実施例では、撮像する前に、初期設定で画像に関する要望をユーザに提示し、提示した質問の回答に対応した撮像条件を設定し、この設定で画像撮像された場合を例示する。本実施例によれば、ユーザが要望する画質による撮像条件をユーザモードとして設定することにより、補正処理に関する高度な専門知識が不要でありながらユーザの要望に応えることができ、かつユーザの操作性に優れた撮像装置を供することが可能となる。
【００４２】
処理フロー、装置外観は実施例１と同様であるので、その詳細は省略する。ここでは第２の算出部３０３ｓの装置構成について述べ、ここで実施されるユーザの画質に関する要望を算出する初期設定モードについて説明する。次いで、該初期設定モードから算出された撮像条件で撮像する動作を説明する。
【００４３】
第２の算出部：
本実施例における撮像装置の装置構成は、第２の算出部以外の構成は実施例１と同じであり、ここでは説明を省略する。第２の算出部の装置構成を図６を参照して説明する。すなわち、第２の算出部３０３ｓは、ユーザに対して画質に関する評価用語を提示する提示回路３０３１ｓと、上記提示の回答に対応した撮像条件を抽出する抽出回路３０３２ｓと、上記評価用語に対応する撮像条件を記憶した第２の記憶回路３０３５ｓと、上記抽出された撮像条件を設定する設定回路３０３３ｓと、設定結果を記憶する第１の記憶回路３０３４ｓとから構成される。
【００４４】
初期設定モードＡ：
上記構成の画像撮像装置に対して、このとき初期設定モードが選択された場合の動作について説明する。まず、ユーザが電源スイッチ２０２０を投入すると、画像撮像装置２０１０は、液晶モニタ２０２４に、次に示される設定画面を順次提示し、ユーザの選択結果に応じた動作を実施する。その設定ステップを図７を参照して説明すると、ユーザに対して画質に関する評価用語を提示し（Ｓ６２０）、上記提示回路３０３１ｓの回答結果に対応した画像の撮像条件を抽出し、（Ｓ６３０）、上記撮像条件と第２の記憶回路３０３５ｓに記憶された補正量とから設定値を設定し（Ｓ６４０）、これを第１の記憶回路３０３４ｓに記憶する（Ｓ６５０）。
【００４５】
図８は、ユーザに対して提示する画像評価用語の１例のユーザインタフェースである。ここでユーザは、画像評価用語の中から好ましい用語を選択する。撮像装置は、この選択結果に応じて撮像条件を抽出する。例えば、図８に示すように、ユーザが「派手な」なる評価用語を選択する。そうすると、前記評価用語に対応する撮像条件が第２の記憶回路３０３５ｓから読込まれる。読込まれる一例を図９に示すが、ユーザ回答の「派手な」に対応して、撮像条件「彩度」および「コントラスト」が抽出される。また、その補正量も図９に示すように、第２の記憶回路３０３５ｓから読込まれ「彩度：＋０．５」「コントラスト：＋１．０」と設定した撮像条件が第１の記憶部３０３４ｓに記憶される。
【００４６】
画像撮像モードＢ
ユーザは撮像する際の画像撮像モードを選択する。例えば、図示しないが、「標準設定（Ｂ）／撮像反映設定（Ｂ２）／出力反映設定（Ｂ３）」の中から質問反映設定を（Ｂ２）選択する。このとき上記初期設定モードの結果が、撮像条件として自動設定される。すなわち本実施例では、ユーザが「派手に」撮像したいと意図した撮像状況において、彩度を＋０．５、コントラストを＋１．０向上させる撮像条件で撮像される。つまり、ユーザの画質に関する要望を再現した撮像条件で撮像することが可能となる。尚、本実施例では画質に対する要望を、撮像反映ボタンに対応させているが、標準設定に反映させることも、操作性を考慮すれば好適であるといえる。
【００４７】
実施例３：
本実施例では、撮像する前に、出力設定で画像に関する嗜好を出力条件から算出し、算出した結果に対応した撮像条件を設定し、この設定で画像撮像された場合を例示する。本実施例によれば、ユーザの画像に対する嗜好を捉え、この嗜好に基づいた撮像条件で撮像する撮像装置を供することにより、出力設定された画像データが多数・多岐となるほど、ユーザの嗜好に適した画像撮像装置を供することが可能となる。
【００４８】
処理フロー、装置外観、および装置構成は実施例１と同様であるので、ここでは詳細は省略する。以下では、ユーザの画像に関する嗜好を算出する出力設定モードについて述べ、該出力設定モードから算出された撮像条件で撮像する動作を説明する。
【００４９】
第３の算出部：
第３の算出部３０３ｔは、図１０を参照すると、出力頻度情報を作成／更新する頻度情報作成／更新回路３０３１ｔ、上記出力設定情報から、少なくとも２つ以上の撮像条件を抽出する抽出回路３０３２ｔ、上記抽出された撮像条件の最頻出の撮像条件を設定する第３の設定回路３０３３ｔと、設定結果を記憶する第３の記憶回路３０３４ｔとから構成される。
【００５０】
出力設定モードＣ：
上記構成の画像撮像装置に対して、このとき出力設定モードが選択された場合の動作について図１１を参照して説明する。まず、ユーザは画像撮像装置の電源スイッチ２０２０を投入し、次いで出力設定モードを選択する。ここで、出力設定モードにおいては、記憶媒体３０１８に記憶された画像データが液晶モニタ３０４２に提示される。提示された画像データに対して、ユーザは出力条件を設定する。このときユーザに、撮像条件として出力設定情報を反映させるか否かの画面を提示する（Ｓ９１０）。次に出力設定情報から、少なくとも２つ以上の撮像条件を抽出し（Ｓ９３０）、前記撮像条件の頻度値から撮像条件を設定し（Ｓ９４０）、記憶する（Ｓ９５０）。
【００５１】
出力設定情報を反映させない場合（Ｓ９１０：Ｎｏ）は、撮像装置は、撮像条件を設定せずに、処理を終了する。なお、装置起動時の初期値は出力設定情報を反映させない動作で撮像することとなる。
【００５２】
ここでユーザが出力設定情報を反映させると選択した場合（Ｓ９１０：Ｙｅｓ）を詳細に説明する。すなわち、撮像頻度情報の作成／更新処理（ｓ９２０）は、記憶媒体３０１８に記憶されている画像データを読込み（Ｓ９２１）、付与された出力設定情報を読込み（Ｓ９２２）、出力設定条件とその設定値を加算する（Ｓ９２３）。このＳ９２１からＳ９２３までの処理を記憶されたすべての画像データに対して実施し、図１２が得られる。なお、適用される画像データのファイル形式としては、ＤＰＯＦ規格に準拠したファイル形式が挙げられる。該ファイル形式は、ＨＥＡＤＥＲセクション［ＨＤＲ］とＪＯＢセクション［ＪＯＢ］から成り、ＨＥＡＤＥＲセクションには、画像ファイル名や記憶日時，ユーザの氏名や住所などが、ＪＯＢセクションには、出力枚数や出力する画像データに書き込む日付、タイトルなどが画像データごとに記憶される。この情報の中で出力枚数を示す［ＰＲＴ  ＱＴＹ］を加算する。この例を図１２（ａ）に挙げる。なお、加算処理はこの撮像条件の補正量が±０あるいは、標準以外に加算する、あるいは、マニュアル設定時のみ加算することが好適である。
【００５３】
次に、ユーザの設定する頻度が高い順序に出力条件を整列する（Ｓ９２４）。整列には公知の整列方法を適用することが可能で、基本交換法，基本選択法，クイックソート，シェルソート等が挙げられる。ここで、上記頻度値テーブルで頻度値が高い撮像条件を少なくとも２つ以上抽出し（Ｓ９３０）、その対応関係から撮像条件を設定し（Ｓ９４０）、これを記憶する（Ｓ９５０）。
【００５４】
例えば頻度が最も高いシーン撮像タイプを縦軸に、第２番目に頻度が高い撮像条件を横軸にとり、この設定値の頻度値テーブル図１２（ｂ）を得る。本実施例の場合には、撮像条件が風景のシーンに対して、「彩度：＋１．０」、かつ「コントラスト：＋１．０」の画像データを出力している。したがって、この撮像条件が第３の記憶部３０３４ｔに記憶される。
【００５５】
画像撮像モードＢ：
ユーザは撮像する際の画像撮像モードを選択する。例えば図示しないが、「標準設定（Ｂ）／撮像反映設定（Ｂ２）／出力反映設定（Ｂ３）」の中から出力反映設定を（Ｂ３）選択する。このとき上記出力設定モードの結果が自動設定される。すなわち本実施例では、撮像条件が風景のシーンに対して、「彩度：＋１．０」、かつ「コントラスト：＋１．０」の画像データを出力し、これを嗜好して撮像したいと意図すると考えられるため、これを撮像条件としてＢ３ボタンに反映させる。この結果、ユーザの嗜好を再現した撮像条件で撮像することが可能となる。尚、本実施例では画質に対する嗜好を、出力反映ボタンに対応させているが、標準設定に反映させることも、操作性を考慮すれば好適であるといえる。また、別途撮像シーンに応じたボタンを撮像装置に配置し、上述の出力設定モードの結果を、その撮像シーン毎に反映させることも可能である。
【００５６】
また、本発明は、前述した実施例の処理手順や機能を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても達成される。この場合、記憶媒体から読出されたプログラムコード自体が前述した実施例の処理手順や機能を実現することになる。プログラムコードを供給するための記憶媒体としては、例えば、フレキシブルディスク、ハードディスク、光ディスク、光磁気ディスク、磁気テープ、不揮発性のメモリカード、ＲＯＭなどを用いることができる。また、コンピュータが読出したプログラムコードを実行することにより、前述した実施例の手順が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００５７】
【図１】本発明の実施例１に係る画像撮像装置の構成を示す。
【図２】本発明の画像撮像装置の外観を示す。
【図３】本発明の撮像装置のモード選択の状態遷移図である。
【図４】実施例１における初期設定のフローチャートである。
【図５】実施例１における撮影頻度情報の一例を示す。
【図６】本発明の実施例２に係る画像撮像装置の構成を示す。
【図７】実施例２における初期設定のフローチャートである。
【図８】ユーザに提示する提示画面の一例である。
【図９】実施例２における評価用語に対応する撮影条件を示す。
【図１０】本発明の実施例３に係る画像撮像装置の構成を示す。
【図１１】実施例３における出力設定のフローチャートである。
【図１２】実施例３における出力頻度情報の一例を示す。
【符号の説明】
【００５８】
３０１  撮像部
３０２  制御部
３０３  第１算出部
３０４  表示部
【図１】
2006238023.tif 000003
【図２】
2006238023.tif 000004
【図３】
2006238023.tif 000005
【図４】
2006238023.tif 000006
【図５】
2006238023.tif 000007
【図６】
2006238023.tif 000008
【図７】
2006238023.tif 000009
【図８】
2006238023.tif 000010
【図９】
2006238023.tif 000011
【図１０】
2006238023.tif 000012
【図１１】
2006238023.tif 000013
【図１２】
2006238023.tif 000014